(57)【要約】      （修正有）【課題】４つの入出口間の開通・閉鎖を選択的に行うことができて、複数の弁機能を併せ持つ電動弁を提供する。【解決手段】第１入出口４１と第２入出口４２とを連通する第１通路部３１、並びに第３入出口４３と第４入出口４４とを連通する第２通路部３２が形成された弁本体１０と、該弁本体１０内に回動可能に嵌挿された弁軸２０と、駆動手段５０とを備え、前記第１通路部３１と第２通路部３２との間に第３通路部３３が形成されるとともに、該第３通路部３３と前記第１通路部１とを連通する第１連通路３５及び前記第３通路部３３と前記第２通路部３２とを連通する第２連通路３６が形成され、かつ、前記弁軸２０に、前記第１通路部３１と第３通路部３３とを選択的に開閉する第１弁体２１と前記第２通路部３２を選択的に開閉する第２弁体２２とが所定角度間隔をあけて一体回転可能に設けられ、第３通路部３３に絞り部材２５が装着される。【選択図】図２
2008121736.tif 000002
【特許請求の範囲】
【請求項１】
第１入出口、第２入出口、第３入出口、及び第４入出口、前記第１入出口と第２入出口とを連通する第１通路部、並びに前記第３入出口と第４入出口とを連通する第２通路部が形成された弁本体と、該弁本体内に回動可能に嵌挿された弁軸と、該弁軸を回動させるための駆動手段とを備えた電動弁であって、
前記弁本体における前記第１通路部と第２通路部との間に第３通路部が形成されるとともに、該第３通路部と前記第１通路部とを連通する第１連通路及び前記第３通路部と前記第２通路部とを連通する第２連通路が形成され、かつ、前記弁軸に、前記第１通路部と第３通路部とを選択的に開閉する第１弁体と前記第２通路部を選択的に開閉する第２弁体とが所定角度間隔をあけて一体回転可能に設けられていることを特徴とする電動弁。
【請求項２】
前記弁軸を回動させることにより、前記第１入出口と第２入出口との間及び前記第３入出口と第４入出口との間が開通するとともに、前記第１入出口と第４入出口との間及び前記第２入出口と第３入出口との間が閉鎖された第１動作状態と、前記第１入出口と第２入出口との間及び前記第３入出口と第４入出口との間が閉鎖されるとともに、前記第１入出口と第４入出口との間又は前記第２入出口と第３入出口との間が開通した第２動作状態とが得られるようにされていることを特徴とする請求項１に記載の電動弁。
【請求項３】
前記第１通路部と第２通路部及び前記第１弁体と第２弁体とは前記弁軸の周りに１８０°の角度間隔があけられ、前記第３通路部は前記第１及び第２通路部に対して前記弁軸の周りに９０°の角度間隔があけられていることを特徴とする請求項１又は２に記載の電動弁。
【請求項４】
前記第３通路部に絞り部材が介装されていることを特徴とする請求項１から３のいずれか一項に記載の電動弁。
【請求項５】
前記絞り部材は、絞り要素の両側に消音用の多孔質体が取着されて構成されていることを特徴とする請求項４に記載の電動弁。
【請求項６】
前記弁本体における前記第１通路部と第２通路部との間で、かつ、前記第３通路部とは前記弁軸の周りに１８０°の角度間隔をあけた位置に第４通路部が形成されるとともに、該第４通路部と前記第１通路部とを連通する第３連通路及び前記第４通路部と前記第２通路部とを連通する第４連通路が形成され、かつ前記第２弁体は前記第２通路部と第４通路部とを選択的に開閉し前記弁軸を回動させることにより、前記第１入出口と第２入出口との間及び前記第３入出口と第４入出口との間が開通するとともに、前記第１入出口と第４入出口との間及び前記第２入出口と第３入出口との間が閉鎖された第１動作状態と、前記第１入出口と第２入出口との間及び前記第３入出口と第４入出口との間が閉鎖され、かつ、前記第１入出口と第４入出口との間が開通するとともに、前記第２入出口と第３入出口との間が開通した第２動作状態とが得られるようにされていることを特徴とする請求項１から３のいずれか一項に記載の電動弁。
【請求項７】
請求項４又は５に記載の電動弁が組み込まれてなるエアコンの再熱除湿回路システム。
【発明の詳細な説明】
【技術分野】
【０００１】
本発明は、電動弁に係り、特に、第１入出口、第２入出口、第３入出口、及び第４入出口、前記第１入出口と第２入出口とを連通する第１通路部、並びに前記第３入出口と第４入出口とを連通する第２通路部が形成された弁本体と、該弁本体内に回動可能に嵌挿された弁軸と、該弁軸を回動させるための駆動手段とを備え、エアコンの再熱除湿回路システムに、従来から使用されている電磁弁や逆止弁等の幾つかの部品に代えて組み込むのに好適な電動弁に関する。
【背景技術】
【０００２】
従来、エアコンの再熱除湿回路システムは、例えば図２４（Ａ）、（Ｂ）に示される如くに、室内に配置された第１熱交換器１１０及び第２熱交換器１２０、第１電磁弁１３０及び第２電磁弁１４０、逆止弁１５０、及び、絞り部材１６０を備えている。かかるシステム１００’において冷房運転を行う際には、（Ａ）のように、第１電磁弁１３０及び第２電磁弁１４０が開にされ、冷媒は白抜き矢印で示される如くに、室外機から第１熱交換器１１０及び第２熱交換器１２０を通って室外機へ送り出される。また、暖房運転時時には、上記と逆の流れとなる。
【０００３】
一方、ドライ（除湿）運転を行う際には、（Ｂ）のように、第１電磁弁１３０及び第２電磁弁１４０が閉にされ、冷媒は白抜き矢印で示される如くに、室外機から第１熱交換器１１０→逆止弁１５０→絞り部材１６０→第２熱交換器１２０を通って室外機へ送り出される。
【発明の開示】
【発明が解決しようとする課題】
【０００４】
前記のように、従来のエアコンの再熱除湿回路システムでは、２個の電磁弁１３０、１４０、逆止弁１５０、及び絞り部材１６０を所定の態様で接続する必要があり、部品点数が多くて配管系が複雑であり、設置スペース及びレイアウト上の制約が大きく、装置コストが高くなる嫌いがあった。この場合、２個の電磁弁や逆止弁等の幾つかの部品が持つ機能を一つの弁に集約させることができれば、前記問題のほとんどが解消される。
【０００５】
本発明は、かかる事情に鑑みてなされたものであって、その目的とするところは、比較的簡素な構成のもとで、４つの入出口間の開通・閉鎖を選択的に行うことができて、２個の電磁弁や逆止弁等の複数の弁機能を併せ持つようにされた、例えばエアコンの再熱除湿回路システムに従来から使用されている電磁弁や逆止弁等の幾つかの部品に代えて組み込むのに好適な電動弁を提供することにある。
【課題を解決するための手段】
【０００６】
前記の目的を達成すべく、本発明に係る電動弁は、第１入出口、第２入出口、第３入出口、及び第４入出口、前記第１入出口と第２入出口とを連通する第１通路部、並びに前記第３入出口と第４入出口とを連通する第２通路部が形成された弁本体と、該弁本体内に回動可能に嵌挿された弁軸と、該弁軸を回動させるための駆動手段とを備える。
【０００７】
そして、前記弁本体における前記第１通路部と第２通路部との間に第３通路部が形成されるとともに、該第３通路部と前記第１通路部とを連通する第１連通路及び前記第３通路部と前記第２通路部とを連通する第２連通路が形成され、かつ、前記弁軸に、前記第１通路部と第３通路部とを選択的に開閉する第１弁体と前記第２通路部を選択的に開閉する第２弁体とが所定角度間隔をあけて一体回転可能に設けられ、前記弁軸を回動させることにより、前記第１入出口と第２入出口との間及び前記第３入出口と第４入出口との間が開通するとともに、前記第１入出口と第４入出口との間及び前記第２入出口と第３入出口との間が閉鎖された第１動作状態と、前記第１入出口と第２入出口との間及び前記第３入出口と第４入出口との間が閉鎖されるとともに、前記第１入出口と第４入出口との間又は前記第２入出口と第３入出口との間が開通した第２動作状態とが得られるようにされていることを特徴としている。
【０００８】
好ましい態様では、前記第１通路部と第２通路部及び前記第１弁体と第２弁体とは前記弁軸の周りに１８０°の角度間隔があけられ、前記第３通路部は前記第１及び第２通路部に対して前記弁軸の周りに９０°の角度間隔があけられる。
【０００９】
他の好ましい態様では、前記第３通路部に絞り部材が介装される。この場合、前記絞り部材は、好ましくは、絞り要素の両側に消音用の多孔質体が取着されて構成される。
【００１０】
他の好ましい態様では、前記弁本体に、前記弁本体における前記第１通路部と第２通路部との間で、かつ、前記第３通路部とは前記弁軸の周りに１８０°の角度間隔をあけた位置に第４通路部が形成されるとともに、該第４通路部と前記第１通路部とを連通する第３連通路及び前記第４通路部と前記第２通路部とを連通する第４連通路が形成され、かつ前記第２弁体は前記第２通路部と第４通路部とを選択的に開閉し前記弁軸を回動させることにより、前記第１入出口と第２入出口との間及び前記第３入出口と第４入出口との間が開通するとともに、前記第１入出口と第４入出口との間及び前記第２入出口と第３入出口との間が閉鎖された第１動作状態と、前記第１入出口と第２入出口との間及び前記第３入出口と第４入出口との間が閉鎖され、かつ、前記第１入出口と第４入出口との間が開通するとともに、前記第２入出口と第３入出口との間が開通した第２動作状態とが得られるようにされる。
【発明の効果】
【００１１】
本発明に係る電動弁では、弁軸並びにこれに一体に設けられた第１弁体及び第２弁体が第１の回転位置（第１動作状態）にあるときには、例えば、第１弁体が第３通路部を閉じ、第１通路部及び第２通路部が開かれた状態となる。これにより、第１入出口と第２入出口との間及び第３入出口と第４入出口との間が開通するとともに、第１入出口と第４入出口との間及び第２入出口と第３入出口との間が閉鎖される。よって、このときは、第１入出口と第２入出口とを連通する第１通路部を介して流体（冷媒）が流通可能とされるとともに、第３入出口と第４入出口とを連通する第２通路部を介して流体（冷媒）が流通可能とされる。
【００１２】
一方、前記第１動作状態から、弁軸を例えば一方向に９０°回転させることにより、これと一体に第１弁体と第２弁体も回転して第２動作状態となり、例えば、第１弁体及び第２弁体が第１通路部及び第２通路部を閉じ、第３通路部が開かれた状態となる。これにより、第１入出口と第２入出口との間及び第３入出口と第４入出口との間が閉鎖されるとともに、第１入出口と第４入出口との間又は第２入出口と第３入出口との間が開通する。したがって、このときは、流体（冷媒）は、例えば、第３入出口→第２通路部→第２連通路→第３通路部→第１連通路→第１通路部→第２入出口へと順次流れる。
【００１３】
ここで、第３通路部に絞り部材を介装しておけば、本発明の電動弁は、図２４（Ａ）、（Ｂ）に示される再熱除湿回路システム１００’において、第１及び第２電磁弁１３０、１４０、逆止弁１５０、及び絞り部材１６０の機能を果たすことができる。つまり、図１２（Ａ）、（Ｂ）に示される如くに、本発明の電動弁１０を、前記第１及び第２電磁弁１３０、１４０、逆止弁１５０、及び絞り部材１６０に代えて再熱除湿回路システム１００に組み込み、図１２（Ａ）のように第１動作状態とすることで、図２４（Ａ）と同じにように冷房・暖房運転を実現でき、また、図１２（Ｂ）のように第２動作状態とすることで、図２４（Ｂ）と同じにようにドライ運転を実現できる。
【００１４】
このように、本発明の電動弁は、比較的簡素な構成のもとで、４つの入出口間の開通・閉鎖を選択的に行うことができて、２個の電磁弁や逆止弁等の複数の弁機能を併せ持ち、例えばエアコンの再熱除湿回路システムに従来から使用されている電磁弁や逆止弁等の幾つかの部品に代えて組み込むことができる。そのため、本発明の電動弁が組み込まれる再熱除湿回路システム等においては、部品点数の削減、配管系の簡素化、設置スペース及びレイアウト上の制約の軽減、装置コストの低減等を図ることができる。
【発明を実施するための最良の形態】
【００１５】
以下、本発明の電動弁の実施形態を図面を参照しながら説明する。
図１、図２は、本発明に係る電動弁の第１実施形態を示している。本実施形態の電動弁１は、図１２（Ａ）、（Ｂ）に示される如くに、前述した図２４に示されるものと略同じ機能が必要とされる再熱除湿回路システム１００に組み込まれて使用されるものであり、図１〜図１２において、（Ａ）は冷房・暖房運転時を示し、（Ｂ）はドライ運転時を示している。また、図１（Ａ）、（Ｂ）は、前後方向中央の縦断面を示し、図２（Ａ）は、図６（Ａ）のＸ−Ｘ断面と図８（Ａ）のＹ−Ｙ断面の複合断面、図２（Ｂ）は、図６（Ｂ）のＸ’−Ｘ’断面と図８（Ｂ）のＹ’−Ｙ’断面の複合断面を示している。また、図３〜図１１は、それぞれ図１（Ｂ）に示される断面＃１〜＃９位置での主要部の水平断面を示している。
【００１６】
図示実施形態の電動弁１は、短円柱状の弁本体１０と、該弁本体１０に回動可能に嵌挿された弁軸２０と、該弁軸２０を回動させるための駆動手段としてのステッピングモータ５０とを備えている。
【００１７】
前記弁本体１０は、天板１３と底板１１との間に、上側ブロック１５、中間板１６、下側ブロック１７が順次配在された積層構造となっており、天板１３上に前記ステッピングモータ５０が搭載保持されている。上側ブロック１５及び下側ブロック１７は、複数枚の板材を上下に積層することにより構成されている。
【００１８】
ステッピングモータ５０は、それ自体はよく知られている構造のもので、弁軸２０に一体回転可能に結合されたロータ５２、このロータを覆うように配在された有底円筒状のキャン５５、該キャン５５の外周に配在されたコイル５４等を備え、外部の制御手段から送られてくる制御信号（パルス）に応じて、弁軸２０を回転軸線Ｏ回りで正逆両方向に所定角度範囲（ここでは約９０°）回動させるようになっている。
【００１９】
前記弁本体１０には、その中央に、前記弁軸２０が回転自在に嵌挿される中央孔３０が形成され、底板１１の右左に弁軸２０周りに１８０°の角度間隔をあけて第１入出口（継手）４１と第３入出口（継手）４３が設けられ（断面＃９）、天板１３の右左に、つまり、第１入出口４１と第３入出口４３の真上にそれぞれ第２入出口（継手）４２と第４入出口（継手）４４が設けられる（断面＃１）とともに、前記第１入出口４１と第２入出口４２とを連通する第１通路部３１、並びに前記第３入出口４３と第４入出口４４とを連通する第２通路部３２が形成されている。
【００２０】
また、弁本体１０における前記第１通路部３１と第２通路部３２との間、言い換えれば前記第１及び第２通路部３１、３２に対して弁軸２０周りに９０°の角度間隔があけられた同一円周上の位置に第３通路部３３（断面＃２〜＃８）が形成され、また、図４（断面＃２）に示される如くに、この第３通路部３３と第１通路部３１とを連通する第１連通路３５が形成されるとともに、図１０（断面＃８）に示される如くに、前記第３通路部３３と第２通路部３２とを連通する第２連通路３６が形成されている。
【００２１】
また、図６（断面＃４）に示される如くに、弁本体１０の上側ブロック１５の下端部の右寄り部分（第１通路部３１と第３通路部３３とを含む）には、中心角が９０°の平面視概略角丸付き扇形状の第１弁室３７が形成されるとともに、図８（断面＃６）に示される如くに、弁本体１０の下側ブロック１７の上端部の左寄り部分（第２通路部３２と第３通路部３３とを含む）には、中心角が９０°の平面視概略角丸付き扇形状の第２弁室３８が形成されている。
【００２２】
一方、前記弁軸２０には、前記第１通路部３１と第３通路部３３とを選択的に開閉する、中心角が３０°程度の平面視概略角丸付き細長扇形状の第１弁体２１と、前記第２通路部３２を開閉する、第１弁体２１と同形状の第２弁体２２とが弁軸２０周りに１８０°の角度間隔をあけて一体回転可能に設けられている。ここで、図６（断面＃４）及び図８（断面＃６）に示される如くに、前記第１弁体２１は、前記第１弁室３７内に摺動自在に配在され、前記第２弁体２２は、前記第２弁室３８内に摺動自在に配在されている。
【００２３】
上記に加え、前記第３通路部３３における前記中間板１６部位には、図２及び図７（断面＃５）に示される如くに、絞り部材２５が装着固定されている。この絞り部材２５は、絞り要素の上下両側に消音用の多孔質体が取着された構造となっている。
【００２４】
このような構成とされた本実施形態の電動弁１では、冷房・暖房運転を行う際には、弁軸２０並びにこれに一体に設けられた第１弁体２１及び第２弁体２２が、図１〜図１１の（Ａ）に示される如くの第１の回転位置（第１動作状態）におかれる。このときには、第１弁体２１が第３通路部３３を閉じ、第１通路部３１及び第２通路部３２が開かれた状態となる。これにより、第１入出口４１と第２入出口４２との間及び第３入出口４３と第４入出口４４との間が開通するとともに、第１入出口４１と第４入出口４４との間及び第２入出口４２と第３入出口４３との間が閉鎖される。よって、このときは、第１入出口４１と第２入出口４２とを連通する第１通路部３１を介して流体（冷媒）が流通可能とされるとともに、第３入出口４３と第４入出口４４とを連通する第２通路部３２を介して流体（冷媒）が流通可能とされる。
【００２５】
一方、ドライ運転を行う際には、前記第１動作状態から、弁軸２０を例えば一方向（右回り）に９０°回転させる。これにより、第１弁体２１と第２弁体２２も一体に回転して図１〜図１１の（Ｂ）に示される如くの第２動作状態となり、第１弁体２１及び第２弁体２２が第１通路部３１及び第２通路部３２を閉じ、第３通路部３３が開かれた状態となる。これにより、第１入出口４１と第２入出口４２との間及び第３入出口４３と第４入出口４４との間が閉鎖されるとともに、図２（Ｂ）に示される如くに、第３入出口４３と第２入出口４２との間が開通する。したがって、このときは、流体（冷媒）は、例えば、第３入出口４３→第２通路部３２→第２連通路３６→第３通路部３３→絞り部材２５→第１連通路３５→第１通路部３１→第２入出口４２へと順次流れる。
【００２６】
したがって、本実施形態の電動弁１では、上記のように流路の切り換えが行われるとともに、第３通路部３３に絞り部材２５が介装されているので、図２４（Ａ）、（Ｂ）に示される再熱除湿回路システム１００’において、第１及び第２電磁弁１３０、１４０、逆止弁１５０、及び絞り部材１６０の機能を果たすことができる。つまり、図１２（Ａ）、（Ｂ）に示される如くに、本実施形態の電動弁１０を、前記第１及び第２電磁弁１３０、１４０、逆止弁１５０、及び絞り部材１６０に代えて再熱除湿回路システム１００に組み込み、図１２（Ａ）のように第１動作状態とすることで、図２４（Ａ）と同じにように冷房・暖房運転を実現でき、また、図１２（Ｂ）のように第２動作状態とすることで、図２４（Ｂ）と同じにようにドライ運転を実現できる。
【００２７】
このように、本実施形態の電動弁１は、弁軸２０に二つの弁体２１、２２を取り付けて正逆両方向に約９０°程度回動させるという比較的簡素な構成のもとで、４つの入出口４１、４２，４３、４４間の開通・閉鎖を選択的に行うことができて、２個の電磁弁や逆止弁等の複数の弁機能を併せ持ち、エアコンの再熱除湿回路システムに従来から使用されている電磁弁や逆止弁等の幾つかの部品に代えて組み込むことができる。そのため、本実施形態の電動弁が組み込まれる再熱除湿回路システム等においては、部品点数の削減、配管系の簡素化、設置スペース及びレイアウト上の制約の軽減、装置コストの低減等を図ることができる。
【００２８】
図１３、図１４は、本発明に係る電動弁の第２実施形態を示している。本実施形態の電動弁２は、エアコンの冷凍サイクル等において四方弁として使用されるもので、基本構造は上記した第１実施形態の電動弁１と略同じであるので、第１実施形態の電動弁１の各部と同じ構成機能を有する部分には同一の符号を付して、以下においては、第１実施形態の電動弁１と異なる点を重点的に説明する。なお、図１３、図１５〜図２３において、（Ａ）は第１動作状態（例えば暖房運転時）を示し、（Ｂ）は第２動作状態（例えば冷房運転時）を示し、図１４（Ａ）、（Ｂ）は第２動作状態（例えば冷房運転時）における異なる断面を示している。この場合、図１３（Ａ）、（Ｂ）は、前後方向中央の縦断面を示し、図１４（Ａ）は、図１７（Ａ）のＵ−Ｕ断面、図１４（Ｂ）は、図１７（Ｂ）のＶ−Ｖ断面を示している。また、図１５〜図２３は、前記と同様に、それぞれ図１３（Ｂ）に示される断面＃１〜＃９位置での主要部の水平断面を示している。
【００２９】
本第２実施形態の電動弁２では、弁本体１０における第１通路部３１と第２通路部３２との間で、かつ、第３通路部３３とは弁軸２０周りに１８０°の角度間隔をあけた位置に第４通路部３４が形成されるとともに、図２２（断面＃８）に示される如くに、第４通路部３４と第１通路部３１とを連通する第３連通路４５と、図１６（断面＃２）に示される如くに、第４通路部３４と第２通路部３２とを連通する第４連通路４６が形成されている。
【００３０】
かかる構成の電動弁２においては、図１３、図１５〜図２３の（Ａ）に示される第１動作状態では、第１入出口４１と第２入出口４２との間及び第３入出口４３と第４入出口４４との間が開通するとともに、第１入出口４１と第４入出口４４との間及び第２入出口４２と第３入出口４３との間が閉鎖され、流体（冷媒）は第１通路部３１及び第２通路部３２を介して流通可能とされる。
【００３１】
これに対し、図１３、図１５〜図２３の（Ｂ）に示される第２動作状態では、第１入出口４１と第２入出口４２との間及び第３入出口４３と第４入出口４４との間が閉鎖され、かつ、第１入出口４１と第４入出口４４との間が開通するとともに、第２入出口４２と第３入出口４３との間が開通し、このときは、図１４（Ａ）に示される如くに、流体（冷媒）は、例えば、第３入出口４３→第２通路部３２→第２連通路３６→第３通路部３３→第１連通路３５→第１通路部３１→第２入出口４２へと順次流れるとともに、図１４（Ｂ）に示される如くに、流体（冷媒）は、例えば、第１入出口４１→第１通路部３１→第３連通路４５→第４通路部３４→第４連通路４６→第２通路部３２→第４入出口４４へと流れる。
【００３２】
したがって、本実施形態の電動弁２では、上記のように流路の切り換えが行われるので、エアコンの冷凍サイクル等において四方弁として使用することができる。この場合、本実施形態の電動弁２は、弁軸２０に二つの弁体２１、２２を取り付けて正逆両方向に約９０°程度回動させるという極めて簡素な構成とされるので、コスト低減化等を図ることができる。
【図面の簡単な説明】
【００３３】
【図１】本発明に係る電動弁の第１実施形態の前後方向の中央の縦断面図。
【図２】（Ａ）は、図６（Ａ）のＸ−Ｘ断面と図８（Ａ）のＹ−Ｙ断面の複合断面図、（Ｂ）は、図６（Ｂ）のＸ’−Ｘ’断面と図８（Ｂ）のＹ’−Ｙ’断面の複合断面図。
【図３】図１（Ｂ）に示される断面＃１位置での水平断面図。
【図４】図１（Ｂ）に示される断面＃２位置での水平断面図。
【図５】図１（Ｂ）に示される断面＃３位置での水平断面図。
【図６】図１（Ｂ）に示される断面＃４位置での水平断面図。
【図７】図１（Ｂ）に示される断面＃５位置での水平断面図。
【図８】図１（Ｂ）に示される断面＃６位置での水平断面図。
【図９】図１（Ｂ）に示される断面＃７位置での水平断面図。
【図１０】図１（Ｂ）に示される断面＃８位置での水平断面図。
【図１１】図１（Ｂ）に示される断面＃９位置での水平断面図。
【図１２】第１実施形態の電動弁が組み込まれた再熱除湿回路システムを示す図。
【図１３】本発明に係る電動弁の第２実施形態の前後方向の中央の縦断面図。
【図１４】（Ａ）は、図１７（Ａ）のＵ−Ｕ断面図、（Ｂ）は、図１７（Ｂ）のＶ−Ｖ断面図。
【図１５】図１３（Ｂ）に示される断面＃１位置での水平断面図。
【図１６】図１３（Ｂ）に示される断面＃２位置での水平断面図。
【図１７】図１３（Ｂ）に示される断面＃３位置での水平断面図。
【図１８】図１３（Ｂ）に示される断面＃４位置での水平断面図。
【図１９】図１３（Ｂ）に示される断面＃５位置での水平断面図。
【図２０】図１３（Ｂ）に示される断面＃６位置での水平断面図。
【図２１】図１３（Ｂ）に示される断面＃７位置での水平断面図。
【図２２】図１３（Ｂ）に示される断面＃８位置での水平断面図。
【図２３】図１３（Ｂ）に示される断面＃９位置での水平断面図。
【図２４】従来の再熱除湿回路システムを示す図。
【符号の説明】
【００３４】
１、２  電動弁
１０    弁本体
２０    弁軸
２１    第１弁体
２２    第２弁体
２５    絞り部材
３１    第１通路部
３２    第２通路部
３３    第３通路部
３４    第４通路部
３５、３６  連通路
３７、３８  弁室
４１    第１入出口
４２    第２入出口
４３    第３入出口
４４    第４入出口
４５、４６  連通路
５０    ステッピングモータ
【図１】
2008121736.tif 000003
【図２】
2008121736.tif 000004
【図３】
2008121736.tif 000005
【図４】
2008121736.tif 000006
【図５】
2008121736.tif 000007
【図６】
2008121736.tif 000008
【図７】
2008121736.tif 000009
【図８】
2008121736.tif 000010
【図９】
2008121736.tif 000011
【図１０】
2008121736.tif 000012
【図１１】
2008121736.tif 000013
【図１２】
2008121736.tif 000014
【図１３】
2008121736.tif 000015
【図１４】
2008121736.tif 000016
【図１５】
2008121736.tif 000017
【図１６】
2008121736.tif 000018
【図１７】
2008121736.tif 000019
【図１８】
2008121736.tif 000020
【図１９】
2008121736.tif 000021
【図２０】
2008121736.tif 000022
【図２１】
2008121736.tif 000023
【図２２】
2008121736.tif 000024
【図２３】
2008121736.tif 000025
【図２４】
2008121736.tif 000026